(57)【要約】【課題】  警報音を停止させるために入力された入力番号が記憶されている暗証番号と不一致であっても、一旦は、一定時間警報音を停止し、その後、再び警報音を鳴動させるセキュリティシステムを提供する。【解決手段】  侵入者検知１１によって鳴動したセキュリティシステムの警報音１２を停止させるために、暗証番号として入力番号１４が入力される。入力番号１４の１桁目入力に応じて一定時間警報音が早期停止されるので、近隣への騒音の迷惑が回避される。また、ユーザが誤入力をした場合にはその間に対策を取れる時間が確保される。入力番号１４が暗証番号と不一致であると、警報音鳴動遅延時間１６の経過後、再鳴動１３をする。再入力番号が誤りであるときは、警報音鳴動遅延時間１７の経過後、再々鳴動１８をする。侵入者が暗証番号を知らないで入力した場合には、侵入者の行動に制約が課せられる。【選択図】      図２
2006215955.tif 000002
【特許請求の範囲】
【請求項１】
番号を入力するための入力手段、複数桁の暗証番号を記憶する記憶手段、警報音を鳴動可能な警報手段、及び前記入力手段で入力された入力番号と前記記憶手段に記憶されている前記暗証番号とが一致することに応答して前記警報手段の前記警報音を停止させる制御手段を備え、前記制御手段は、前記警報音の鳴動状態で、前記入力手段における少なくとも１桁の入力により前記警報音の鳴動を停止し、以後入力された複数桁の前記入力番号が前記暗証番号と一致してない場合には一定時間経過後再び前記警報音を鳴動させることから成るセキュリティシステム。
【請求項２】
前記制御手段は、前記警報音の再鳴動状態において、少なくとも１桁の番号の入力により前記警報音の再鳴動を停止し、以後入力された複数桁の前記入力番号が前記暗証番号と一致していない場合、一定時間経過後、前記警報音を再々度鳴動させることを繰り返すことを特徴とする請求項１に記載のセキュリティシステム。
【請求項３】
前記制御手段は、前記警報音が再々度以降に鳴動するときに、鳴動が停止してから再開するまでの経過時間を前回の鳴動停止の際における経過時間から変更して設定可能であることを特徴とする請求項２に記載のセキュリティシステム。
【請求項４】
前記警報音の鳴動状態において、前記警報音の鳴動を停止させる前記入力の桁数は、１桁以上且つ前記暗証番号の桁数以下の桁数に設定されていることを特徴とする請求項１〜３のいずれか１項に記載のセキュリティシステム。
【発明の詳細な説明】
【技術分野】
【０００１】
この発明は、暗証番号の一致により警報音を停止させることができるセキュリティシステムに関する。
【背景技術】
【０００２】
従来、各種のセキュリティシステムにおいては、警戒状態になっている場合において異常を検知したときに警報音を鳴動させているが、鳴動している警報音の停止については、システムに暗証番号を入力し、その暗証番号が記憶されている番号と一致したときに警報音を停止させる仕組みになっている。（特許文献１参照）この場合、暗証番号が記憶されている番号と一致していないときには、警報音が停止されないまま鳴り続けることになる。
【特許文献１】特開２０００−２７２４１（段落〔００１０〕〜〔００１２〕，〔００１７〕，図１，図２）
【０００３】
しかしながら、警報音は、その目的が大きな音により侵入者を撃退することにあるので、通常、８０ｄＢ以上の非常に大きな音に設定されている。しかし、音が大きいためにシステムに誤動作が生じると近所迷惑となることがある。そうした誤動作があると、多くの家庭では、その後、セキュリティシステムの電源が切られてしまう。そのため、セキュリティシステムは、結局、必要なときに役立たなくなることが多かった。
【発明の開示】
【発明が解決しようとする課題】
【０００４】
そこで、警報音を停止させるために入力された入力番号が記憶されている暗証番号と不一致であっても、一旦は、一定時間警報音を停止し、その後、再び警報音を鳴動させるセキュリティシステムについて提案する。
【０００５】
この発明の目的は、警報音を停止させるために入力された入力番号が記憶されている暗証番号とたとえ不一致であっても、暗証番号が入力されたことで、早期に一定時間警報音を停止して近隣への騒音の迷惑を回避し、ユーザが誤入力をした場合にはその間に対策を取れる時間を確保するとともに、侵入者が暗証番号を知らないで入力した場合には侵入者に無駄な時間を使わせるセキュリティシステムを提供することである。
【課題を解決するための手段】
【０００６】
本発明によるセキュリティシステムは、番号を入力するための入力手段、複数桁の暗証番号を記憶する記憶手段、警報音を鳴動可能な警報手段、及び前記入力手段で入力された入力番号と前記記憶手段に記憶されている前記暗証番号とが一致することに応答して前記警報手段の前記警報音を停止させる制御手段を備え、前記制御手段は、前記警報音の鳴動状態で、前記入力手段における少なくとも１桁の番号の入力により前記警報音の鳴動を停止し、以後入力された複数桁の前記入力番号が前記暗証番号と一致してない場合には一定時間経過後再び前記警報音を鳴動させることから成っている。
【０００７】
このセキュリティシステムによれば、異常事態が生じたために警報音が鳴動した場合、入力手段において１桁の番号又は複数桁の番号が入力されたとき、警報音は一旦停止される。したがって、その間に、近隣に迷惑をかけることなく、ユーザは、暗証番号を入力する時間的或いは心理的な余裕がえられる。ユーザによる正しい入力が継続される場合、警報音は再鳴動することなく停止する。また、不審者が暗証番号を知らなくて入力した場合などにおいては、１桁目すら暗証番号と一致する場合もしない場合も、警報音が一旦停止するので安心感を与えるが、その後の桁数において暗証番号と一致することは殆どあり得ないことであるので、通常は一定時間後再び警報音が鳴動する。したがって、この再鳴動によって、不審者の行動を制約し、或いは撃退することができる。したがって、不審者に対するセキュリティについては、警報音が鳴動し続ける従来のシステムと同程度、或いはそれ以上の効果が期待される。
【０００８】
このセキュリティシステムにおいて、制御手段は、警報音の再鳴動状態において、少なくとも１桁の番号の入力により警報音の再鳴動を停止し、以後入力された複数桁の入力番号が暗証番号と一致していない場合、一定時間経過後、警報音を再々度鳴動させることを繰り返す制御を行うことができる。警報音の再鳴動している状態において、入力手段で少なくとも１桁の番号を入力するときには、警報音の再鳴動が一旦は停止される。再鳴動の停止によって、最初の鳴動の停止と同様に、近隣に迷惑をかけることなくユーザは適切な対策を取ることができる。その後の入力において入力番号が暗証番号と一致してないときには、一定時間経過後、警報音を再々度鳴動させるので不審者に対するセキュリティが確保される。以下、同様のことが繰り返される。
【０００９】
再々度鳴動させる上記のセキュリティシステムにおいて、制御手段は、警報音が再々度以降に鳴動するときに、鳴動が停止してから再開するまでの経過時間を前回の鳴動停止の際における経過時間から変更して設定することができる。鳴動が停止してから開始するまでの経過時間については、例えば、次第に短く設定した場合には不審者に対するセキュリティ性を高めることができ、次第に長く設定した場合にはユーザの対策時間を長く取ることができる。
【００１０】
上記の各セキュリティシステムにおいて、警報音の鳴動状態において、警報音の鳴動を停止させる入力の桁数は、１桁以上且つ暗証番号の桁数以下の桁数に設定することができる。暗証番号それ自体は覚え難いことがあってもその桁数は比較的記憶に残り易いので、その桁数の範囲内で警報音の鳴動を停止させる桁数を設定することが好ましい。
【発明の効果】
【００１１】
このセキュリティシステムによれば、１桁の入力番号又は複数桁の入力番号が入力されたときに、誤作動で警報音が鳴動した場合には、警報音を早期に停止して近所迷惑の防止を図る。また、侵入者が正確な暗証番号を知らないで間違った番号を入力した場合には、一定時間後再び警報音を鳴動することにより、そうした侵入者を撃退するか或いはその行動を制約して警備員が到達するまでの時間を稼いで、逮捕する可能性を高めることができる。
【発明を実施するための最良の形態】
【００１２】
以後、図面に従って、本発明によるセキュリティシステムの実施例について説明する。図１は、本発明によるセキュリティシステムの一例を示す概略ブロック図である。図２は、本発明によるセキュリティシステムにおいて、１桁の入力番号入力により警報音の鳴動を停止する場合のタイムチャートの一例を示す図である。図３は、本発明によるセキュリティシステムのフローチャートの一例を示す図である。
【００１３】
図１に示すセキュリティシステムの概略ブロック図において、テンキー等の入力手段１で入力された入力番号としての入力信号が、制御手段２に入力される。制御手段２は、比較部３及び鳴動制御部４を備えている。比較部３には、入力された番号の桁数をカウントする桁数設定カウント部５を備え、入力された入力番号のうち鳴動音停止のために比較すべき桁数を設定しカウントすることができる。また、鳴動制御部４は、鳴動させる時間設定カウント部６を備えることができる。暗証番号は、入力手段１を介して記憶手段７に記憶される。記憶された暗証番号は、制御手段２の比較部３に読み出し可能である。鳴動制御部４は、警報手段８による鳴動の停止・再開を制御する。
【００１４】
図２に示すタイムチャート及び図３に示すフローチャートにおいて、異常を検知（侵入者検知１１、ステップ１（「Ｓ１」と略す。以下同じ））したセキュリティシステムは警報音１２を鳴動する（Ｓ２）。警報音１２は８０ｄＢ以上の非常に大きな音が鳴動するが、その目的は、鳴動音により侵入者を撃退することにある。その際、従来では入力番号１４と記憶されている暗証番号との一致により警報音１２を停止していた。しかし、鳴動音が大きいために、システムに誤動作が生じると近所迷惑となり、電源を切る家庭が非常に多い。
【００１５】
本セキュリティシステムでは、本来ならば、例えば入力番号１４が４桁の暗証番号との一致により警報音１２を停止するシステムにおいて、入力番号１４として１桁が入力されたときに（Ｓ３）、直ちに警報音１２を停止する（Ｓ４）。早期に警報音１２を停止することにより、警報音が鳴動し続けることによる近所迷惑を避けることができる。時間カウンタが計時開始し（Ｓ５）、入力手段の操作者が正真のユーザである場合、鳴動音停止中（Ｓ６）に続けて入力された入力番号１４が暗証番号と一致する（Ｓ７）ので、警報音は再鳴動することなく完全に停止される（Ｓ８）。入力手段の操作者が不審者や侵入者である場合、入力された番号１４が暗証番号と一致することは殆どないので、鳴動音が停止して一定時間１６の経過後、例えば３０秒後（Ｓ６）に再び警報音１３が鳴動する（Ｓ１１）。不審者や侵入者は、慌ててセキュリティ機器の前に戻って来て入力番号１５を再度入力する行動が誘発される。
【００１６】
再び入力された入力番号１５においても暗証番号と一致しなかった場合、時間カウンタのクリア（Ｓ１１）の後、再び警報音１８が鳴動する（Ｓ１２）が、警報音の停止時間１７は前回よりも長く（または短く）設定可能である。１桁の入力（Ｓ１３）により警報音が直ちに停止する（Ｓ１４）。以下、Ｓ５〜Ｓ８と同じステップが用意されている（Ｓ１５〜Ｓ１８）。不審者や侵入者は入力番号が暗証番号と一致したと誤解するが、しばらくすると再び警報音が鳴動する。本セキュリティシステムはこのような作動を繰り返す（最大繰り返し数を設定可能である（Ｓ１９）。警備会社への最終通報等（Ｓ２０））。不審者や侵入者は、入力番号が暗証番号と一致しているか否か、或いはしばらくすればまた警報音が鳴動するのではないか、と疑心暗鬼に陥り、動けなくなるか或いは諦めて退散する。その間に、多くの時間を費されるので、警備会社が到達するまでの時間を稼ぐことができる。
【００１７】
図４は、本発明によるセキュリティシステムにおいて、複数桁、ここでは４桁の入力により警報音の鳴動を停止する場合のタイムチャートの一例を示す図である。図４に示すセキュリティシステムでは、４桁の入力番号の入力が確認された後に警報音が停止される。４  桁の入力番号の一致により警報音の停止を行うセキュリティシステムにおいて、異常（侵入者検知１１）を検知した場合、警報音１２が鳴動する。その際に、４桁の入力番号１４が入力完了時に警報音１２が停止される。入力された４桁の入力番号１４が暗証番号と一致してない場合、一定時間１６の経過後、再び警報音１３が鳴動を始める。４桁の入力番号１５が再入力されても、入力された４桁の入力番号１５が暗証番号と一致してないときには、再々度、警報音１８が鳴動する。２回目の入力番号１５の入力時は再び警報音１８が鳴動するまでの経過時間１７を１回目より長くまたは短く設定可能である。
【００１８】
以上のセキュリティシステムでは、ともかくも４桁の入力番号が入力されれば、警報音が停止する。そのことにより警報音が早期に停止して近所迷惑を避けることができる。また、不審者・侵入者が誤った入力番号を入力した場合にも、不審者・侵入者に対して暗証番号と一致したのではないかと勘違いを生じさせる。入力番号が暗証番号と一致してない場合、一定時間後、例えば３０秒後に再び警報音が鳴動するので、侵入者には、慌てて戻ってきて入力番号を再度入力する等の無駄な動きが強いられる。
【００１９】
再入力された入力番号も暗証番号と一致しなかった場合、再々度、警報音が鳴動するがその時間は前回よりも長くまたは短く設定可能である。そのことにより、不審者・侵入者は入力番号が暗証番号と一致したと誤解するがまたしばらくすると警報音が鳴動するので、入力番号が本当に暗証番号と一致していたとしてもしばらくすればまた警報音が鳴動するのではないかと不安になり侵入者は動けなくなるか、諦めて退散する。その間に、多くの時間が費やされるので、その間に警備会社が到達して、逮捕の可能性が高まる。
【００２０】
図５は、この発明によるセキュリティシステムが、ネットワークを介してセンターシステムに接続されている環境下の家庭やオフィスへ適用された適用例を示す概略図である。家庭やオフィスにおけるセキュリティ機器３４は、一方でセンサ３５に接続されているとともに、屋外では、通信回線３３を通じて且つネットワーク３２介してセンターシステム３１に接続されている。
【００２１】
図６は、図５に示す環境下で適用されたセキュリティシステムの適用例としてのセキュリティ機器を示す概略図である。セキュリティ機器３４は、テンキー４１と、警報音発生用スピーカ４２とを備えている。センサ３５からの不審者・侵入者を検出した旨の検出信号の入力を受ける。また、通信回線３３を通じてセンターシステム３１（図５）に接続されているので、セキュリティ機器３４から警備会社へ通報することができる。
【００２２】
以上のように、入力番号の入力により警報音を停止し、入力番号が暗証番号と一致してない場合、再び警報音が鳴動するシステムにより、近所迷惑の防止と、不審者・侵入者を撃退・逮捕する時間を確保するセキュリティシステムが得られる。
【図面の簡単な説明】
【００２３】
【図１】この発明によるセキュリティシステムの一例を示す概略ブロック図である。
【図２】この発明によるセキュリティシステムにおいて、１桁の入力番号入力により警報音の鳴動を停止する場合のタイムチャートの一例を示す図である。
【図３】この発明によるセキュリティシステムのフローチャートの一例を示す図である。
【図４】この発明によるセキュリティシステムにおいて、複数桁（４桁）の入力により警報音の鳴動を停止する場合のタイムチャートの一例を示す図である。
【図５】この発明によるセキュリティシステムが、ネットワークを介してセンターシステムに接続されている家庭やオフィスへ適用された適用例を示す概略図である。
【図６】図５に示すセキュリティ機器を示す概略図である。
【符号の説明】
【００２４】
１：入力手段
２：制御手段
３：比較部
４：鳴動制御部
５：桁数設定カウント部
６：時間設定カウント部
７：記憶手段
８：警報手段
１１：侵入者の検知
１２，１３，１８：警報音鳴動
１６，１７：警報音鳴動遅延時間
３４：家庭に設置したセキュリティ機器
３５：センサ
４１：暗証番号を入力するテンキー
４２：スピーカ
【図１】
2006215955.tif 000003
【図２】
2006215955.tif 000004
【図３】
2006215955.tif 000005
【図４】
2006215955.tif 000006
【図５】
2006215955.tif 000007
【図６】
2006215955.tif 000008